(57)【要約】【課題】異常状態の詳細な情報を確実に通知できるとともに迅速な通知を行うことのできる異常状態通知装置及び異常状態通知システムを提供する。【解決手段】ステップ＃１１でマイク４により音声を捉えると、ステップ＃１２〜＃１４で記憶部５に記憶される。ステップ＃１５ではマイク４により捉えた音声と記憶部５に予め記憶した異常音とを比較する。マイク４により捉えた音声と記憶部５に予め記憶した異常音とが一致しているとステップ＃１６で異常状態と判断し、ステップ＃１７、１８で異常状態を示す電子メールを予め登録された送信先に送信する。【選択図】      図２
2004310416.tif 000002
【特許請求の範囲】
【請求項１】
音声を捉える入力部と、異常音を予め記憶する記憶部と、前記入力部により捉えた音声と前記記憶部に記憶された異常音とに基づいて異常状態を検知する異常検知部と、前記異常検知部により異常状態を検知した際に予め登録された送信先に異常状態を示す電子メールを送信する通信部とを備えたことを特徴とする異常状態通知装置。
【請求項２】
複数の送信先を登録してこれらの送信先に同時に送信できることを特徴とする請求項１に記載の異常状態通知装置。
【請求項３】
周囲の状況を撮影するカメラを備え、前記カメラにより捉えた画像を電子メールに添付して前記通信部により送信することを特徴とする請求項１または請求項２に記載の異常状態通知装置。
【請求項４】
請求項１〜請求項３のいずれかに記載の異常状態通知装置と、前記通信部により送信される電子メールを受信する携帯端末装置とを備えたことを特徴とする異常状態通知システム。
【請求項５】
前記携帯端末装置は、前記通信部により送信された異常状態を示す電子メールを受信すると直ちに該電子メールの内容を表示することを特徴とする請求項４に記載の異常状態通知システム。
【請求項６】
前記携帯端末装置は、前記通信部により送信された異常状態を示す電子メールを受信した際に異常状態を示す画像を表示することを特徴とする請求項４または請求項５に記載の異常状態通知システム。
【発明の詳細な説明】
【０００１】
【発明の属する技術分野】
本発明は異常音を検知して異常状態を通知する異常状態通知装置及び異常状態通知システムに関する。
【０００２】
【従来の技術】
従来の異常状態通知装置は特許文献１に開示されている。この異常状態通知装置はドアの開錠音やガラスの破壊音等の異常音を予め記憶する。マイクにより音声を捉えると、記憶した異常音と一致するか否かを判別して一致する場合に所定の連絡先に電話によって所定の緊急メッセージを通知する。これにより、迅速に異常状態の発生をユーザーに通知することができるようになっている。
【０００３】
【特許文献１】
特開２００２−３１２８６０号公報（第２頁−第３頁、第１図）
【０００４】
【発明が解決しようとする課題】
しかしながら、上記特許文献１に開示された異常状態通知装置によると、電話によって異常状態を通知するためユーザーが電話に出られない場合には、ユーザーは受信記録による電話番号情報によって異常状態を認識するため詳細な情報を得られない問題があった。留守番電話機能を設けて所定の緊急メッセージを録音することも可能であるが、音声データはデータ量が大きいため録音できる情報が限られる。
【０００５】
また、複数の送信先を予め登録しておくことにより、ユーザーが受信できない場合や電話に出られない場合に、次の送信先に通知して緊急メッセージの未達を防止することが可能である。しかしながら、一の送信先の不通を確認して順に次の送信先に電話をかけるため緊急の場合に通知が遅れてしまう問題もあった。
【０００６】
本発明は、異常状態の詳細な情報を確実に通知できるとともに迅速な通知を行うことのできる異常状態通知装置及び異常状態通知システムを提供することを目的とする。
【０００７】
【課題を解決するための手段】
上記目的を達成するために本発明の異常状態通知装置は、音声を捉える入力部と、異常音を予め記憶する記憶部と、前記入力部により捉えた音声と前記記憶部に記憶された異常音とに基づいて異常状態を検知する異常検知部と、前記異常検知部により異常状態を検知した際に予め登録された送信先に異常状態を示す電子メールを送信する通信部とを備えたことを特徴としている。
【０００８】
この構成によると、記憶部に予め記憶した異常音と入力部により捉えた音声とを異常検知部により比較して異常状態か否かを検知する。異常状態を検知すると予め登録されたユーザーの送信先に異常状態を示す緊急メッセージを電子メールにより送信する。複数の送信先を登録可能にして、同時に複数の送信先に緊急メッセージを送信してもよい。
【０００９】
また本発明は、異常状態と検知した際にカメラにより捉えた画像を電子メールに添付して送信することを特徴としている。画像は動画、静止画のいずれであってもよい。
【００１０】
また本発明の異常状態通知システムは、上記各構成の異常状態通知装置と、前記通信部により送信される電子メールを受信する携帯端末装置とを備えたことを特徴としている。この構成によると、異常状態通知装置は異常状態を検知すると、一または複数の携帯端末装置に緊急メッセージを電子メールで送信する。
【００１１】
携帯端末装置は電子メールによる緊急メッセージを受信すると直ちに添付画像を含む該電子メールの内容を表示できるようにすると、緊急メッセージの表示操作を削減できる。また、携帯端末装置は緊急メッセージを受信すると異常状態を示す画像を表示できるようにすると、異常状態を容易に認識することができる。
【００１２】
【発明の実施の形態】
以下に本発明の実施形態を図面を参照して説明する。図１は一実施形態の異常状態通知システムを示すブロック図である。異常状態通知システムは、異常状態通知装置１及び一または複数の携帯端末装置２とから成っている。
【００１３】
異常状態通知装置１は各部を制御するＣＰＵから成る制御部２を有している。制御部２にはマイク４（入力部）、記憶部５、カメラ６、通信部７が接続されている。マイク４は周囲の音声を捉え、電気信号に変換して制御部２に送信する。記憶部５はＲＯＭ、ＲＡＭ、ＨＤＤ等から成り、異常状態通知装置１を制御する制御プログラムの格納やＣＰＵによる演算の一時記憶を行う。
【００１４】
また、送信先情報、所定のメッセージ、マイク４により捉えた音声データ、カメラ６により捉えた画像データ等を記憶する。加えて、ドアの開錠音、ドアの開閉音、ガラスの破壊音、幼児の泣き声、ペットの鳴き声、床のきしみ音、タンス等の家具の開閉音等の犯罪等に関わる異常音が予め登録されている。
【００１５】
カメラ７はＣＣＤ等の撮像素子を有し、周囲の静止画または動画から成る画像を捉えて制御部２に送信する。通信部７は記憶部５に登録された送信先に電子メールの送信を行う。携帯情報端末２はＰＨＳ、携帯電話機、ＰＤＡ等から成り、通信部７により送信される電子メールを受信する。
【００１６】
上記構成の異常状態通知システムの動作を図２、図３のフローチャートを参照して説明する。図２は異常状態通知装置１による送信処理の動作を示している。異常状態通知装置１の電源が入れられると、ステップ＃１１でマイク４によって音声が捉えられるまで待機して監視を継続する。
【００１７】
マイク４によって音声が捉えられるとステップ＃１２でマイク４に捉えた音声及びカメラ６により捉えた画像の記憶部５への記録が開始される。ステップ＃１３では記録を継続して所定時間経過するまで待機し、所定時間経過するとステップ＃１４で記録を終了する。
【００１８】
ステップ＃１５では記憶部５に予め登録された異常音とマイク４により捉えた音声とを比較する。記憶部５に登録された異常音とマイク４により捉えた音声とが不一致の場合はステップ＃１１に戻って監視を継続する。記憶部５に登録された異常音とマイク４により捉えた音声とが一致すると異常状態と判断してステップ＃１７に移行する。これにより、異常状態を検知する異常検知部が構成されている。
【００１９】
ステップ＃１７では一致した異常音に応じた緊急メッセージが記憶部５から取り出されて電子メールが作成されるとともに、カメラ６により捉えた画像が該電子メールに添付される。これにより、電子メールを受信するユーザーは異常状態をより詳細に判別することができる。そして、ステップ＃１８で予め登録されている一または複数の送信先の携帯端末装置２に電子メールが送信され、ステップ＃１１に戻って監視を継続する。
【００２０】
携帯端末装置２は電子メールを受信すると図３に示す受信処理が行われる。ステップ＃２１では受信した電子メールが異常状態通知装置１から送信された緊急メッセージの電子メールか否かが判断される。緊急メッセージでない場合はステップ＃２２で受信拒否しているか否かが判断される。
【００２１】
受信拒否している場合は受信処理を終了し、受信拒否していない場合はステップ＃２３に移行する。ステップ＃２３では記憶部５に電子メールが格納され、ステップ＃２４で携帯端末装置２の表示部（不図示）に電子メールの着信を示す画像等を表示する。
【００２２】
ステップ＃２１の判断により緊急メッセージの電子メールであった場合はステップ＃３１に移行する。ステップ＃３１では受信拒否の判断を行わずに記憶部５に電子メールが格納される。これにより、受信拒否状態であっても異常状態を示す電子メールの内容を確認することができる。
【００２３】
ステップ＃３２では携帯端末装置２の表示部（不図示）の表示設定が判断される。携帯端末装置２は緊急メッセージの電子メールを受信した際に電子メールの内容を表示するか、異常状態を示す画像を表示するかを予め設定できるようになっている。
【００２４】
電子メールの内容を表示する設定の場合はステップ＃３３に移行して表示部に電子メールの内容が表示される。これにより、緊急メッセージの内容を表示する操作が不要となり、迅速に内容を確認することができる。電子メールに添付された画像を表示部に表示してもよい。
【００２５】
電子メールの内容を表示しない設定の場合はステップ＃３４に移行して表示部に異常状態を示す画像が表示される。これにより、異常状態の発生を容易に視認することができる。そして、ユーザーは電子メールを確認して異常状態に対して対処することができる。
【００２６】
本実施形態によると、異常状態通知装置１により異常状態の発生時に電子メールによって携帯端末装置２に通知するので、ユーザーが携帯電話機等に出られない場合でも詳細な情報を得ることができる。更に、文字による緊急メッセージのデータ量が小さいため、より詳細な情報を携帯端末装置２に格納することができる。
【００２７】
また、複数の送信先を予め登録しておくことにより同時に複数の送信先に緊急メッセージが送信される。このため、一の携帯端末装置２が受信できない場合や出られない場合でも別の送信先に同時に通知して通知の遅延を防止し、迅速な対処を行うことができる。
【００２８】
【発明の効果】
本発明によると、異常状態通知装置により異常状態の発生時に電子メールによって携帯端末装置に通知するので、ユーザーが携帯電話等に出られない場合でも詳細な情報を得ることができる。更に、文字による異常状態を示す電子メールのデータ量が小さいため、より詳細な情報を携帯端末装置に格納することができる。
【００２９】
また、複数の送信先を予め登録できるので、同時に複数の送信先に異常状態を示す電子メールを送信できる。従って、一の携帯端末装置が受信できない場合や出られない場合でも別の送信先に同時に通知して通知の遅延を防止し、迅速な対処を行うことができる。
【００３０】
また本発明によると、カメラにより捉えた画像を電子メールに添付して送信するので、異常状態をより詳細に判別することができる。
【００３１】
また本発明によると、携帯端末装置は異常状態を示す電子メールを受信すると直ちに添付画像を含む該電子メールの内容を表示するので、電子メールの内容を表示する操作が不要となり、迅速に内容を確認することができる。
【００３２】
また本発明によると、携帯端末装置は異常状態を示す電子メールを受信した際に異常状態を示す画像を表示するので、異常状態の発生を容易に視認することができる。
【図面の簡単な説明】
【図１】は、本発明の実施形態の異常状態通知システムの構成を示すブロック図である。
【図２】は、本発明の実施形態の異常状態通知装置の送信処理の動作を示すフローチャートである。
【図３】は、本発明の実施形態の携帯端末装置の受信処理の動作を示すフローチャートである。
【符号の説明】
１    異常状態通知装置
２    携帯端末装置
３    制御部
４    マイク
５    記憶部
６    カメラ
７    通信部
【図１】
2004310416.tif 000003
【図２】
2004310416.tif 000004
【図３】
2004310416.tif 000005